(57)【要約】【課題】部品種類の増加を伴うことなく仕切り高さの調節ができる陳列棚用仕切り板を提供すること。【解決手段】本発明の陳列棚用仕切り板５ａ、５ｂは、棚板３の底板７及び背板９に係合して棚板３を仕切る仕切り板であって、上部に嵌合部２１と被嵌合部１９とを備え、一方の仕切り板５ａの上に同種の他方の仕切り板５ｂを上下逆さにして、一方の仕切り板５ａの嵌合部２１に他方の仕切り板５ｂの被嵌合部１９を嵌合して両者を繋ぎ合わせ自在としてある。【選択図】    図１
2004344408.tif 000002
【特許請求の範囲】
【請求項１】
棚板の底板及び背板に係合して棚板を仕切る仕切り板において、上部に嵌合部と被嵌合部とを備え、一方の仕切り板の上に同種の他方の仕切り板を上下逆さにして、一方の仕切り板の嵌合部に他方の仕切り板の被嵌合部を嵌合して両者を繋ぎ合わせ自在としてあることを特徴とする陳列棚用仕切り板。
【請求項２】
棚板の底板及び背板に係合して棚板を仕切る仕切り板において、下部に嵌合部を備え、上部に被嵌合部を備え、一方の仕切り板の上部に設けた被嵌合部に同種の他方の仕切り板の下部に設けた嵌合部を嵌合して両者を繋ぎ合わせ自在としてあることを特徴とする陳列棚用仕切り板。
【請求項３】
一方の仕切り板と他方の仕切り板とを繋ぎ合わせた状態において、被嵌合部と嵌合部とが嵌合した部分の厚み方向の寸法が、仕切り板本体の厚みと略等しいことを特徴とする請求項１又は２に記載の陳列棚用仕切り板。
【請求項４】
一方の仕切り板と他方の仕切り板とを繋ぎ合わせた状態において、被嵌合部と嵌合部とが嵌合した部分の前後方向には、一方の仕切り板と他方の仕切り板とが相互に当接する当接部を備えることを特徴とする請求項３に記載の陳列棚用仕切り板。
【発明の詳細な説明】
【０００１】
【発明の属する技術分野】
本発明は、陳列棚用仕切り板に関し、特に、仕切り高さの寸法が調節できる陳列棚用仕切り板に関する。
【０００２】
【従来の技術】
一般に、ビデオテープ、ＣＤ、ＤＶＤ、ゲームソフトや書籍等の略扁平形状の商品を陳列する場合に、商品の倒れを防止するため、陳列棚の左右に仕切り板を設けている。
【０００３】
このような陳列棚として、特許文献１には、棚板の底板と背板とに係合して棚板を仕切る陳列棚用仕切り板が開示されている。
【０００４】
特許文献２には、仕切り板の側面に嵌合部を設け、被嵌合を備える補助板を仕切り板の側面に配置し、仕切り板の側面に補助板を嵌合により装着して、仕切り板の仕切り高さを調節することが開示されている。
【０００５】
【特許文献１】
特開平８−１０１１３号公報
【特許文献１】
特開２００１−３４６６３８号公報
【０００６】
【発明が解決しようとする課題】
しかし、特許文献１の技術においては、仕切り板の高さの調節ができないため、陳列する商品の高さが異なる場合には、商品の高さに応じた仕切り板を用意する必要があり、仕切り板の種類が多くなるので、製造コストが増加するとともに店舗等における陳列棚用部品の管理が煩雑になるという問題がある。
【０００７】
特許文献２においては、仕切り板の高さを調節できるが、仕切り板に別途高さ調節のための補助板を設ける必要がある。すなわち、陳列棚の仕切りに仕切り板と補助板との異なる種類の部品を用意する必要があり、部品種類が多くなるという問題がある。
【０００８】
本発明は、上述した事情に鑑みなされたもので、部品種類の増加を伴うことなく仕切り高さの調節ができる陳列棚用仕切り板の提供を目的とする。
【０００９】
【課題を解決するための手段】
上記目的を達成するために、請求項１に記載の発明は、棚板の底板及び背板に係合して棚板を仕切る仕切り板において、上部に嵌合部と被嵌合部とを備え、一方の仕切り板の上に同種の他方の仕切り板を上下逆さにして、一方の仕切り板の嵌合部に他方の仕切り板の被嵌合部を嵌合して両者を繋ぎ合わせ自在としてあることを特徴とする。
【００１０】
この請求項１に記載の発明では、一方及び他方の仕切り板は同種の仕切り板であるから、それぞれ、単独で棚板に装着して用いることができる。仕切り板による仕切り高さを高くしたい場合には、一方の仕切り板に対して、他方の仕切り板を上下逆さにして、一方の仕切り板の上部に設けた嵌合部に他方の仕切り板の被嵌合部を、一方の仕切り板の被嵌合部に他方の仕切り板の嵌合部をそれぞれ相互に嵌合して一方の仕切り板の上に上下逆さにした他方の仕切り板を繋ぎ合わせる。
【００１１】
繋ぎ合わせる仕切り板はそれぞれ単独で、通常の高さの仕切り板として用いるものであるから、一種類の仕切り板だけを用意して、異なる仕切り高さにすることができる。従って、部品種類の増加を伴うことなく仕切り高さの調節ができる。
【００１２】
請求項２に記載の発明は、棚板の底板及び背板に係合して棚板を仕切る仕切り板において、下部に嵌合部を備え、上部に被嵌合部を備え、一方の仕切り板の上部に設けた被嵌合部に同種の他方の仕切り板の下部に設けた嵌合部を嵌合して両者を繋ぎ合わせ自在としてあることを特徴とする。
【００１３】
この請求項２に記載の発明では、一方及び他方の仕切り板は同種の仕切り板であるから、それぞれ、単独で棚板に係合して装着することができる。仕切り高さを高くしたい場合には、一方の仕切り板の上部に設けた被嵌合部に他方の仕切り板の下部に設けた嵌合部を嵌合して繋ぎあわせる。
【００１４】
繋ぎ合わせる仕切り板はそれぞれ単独で、通常の高さの仕切り板として用いるものであるから、一種類の仕切り板だけを用意して、異なる仕切り高さにすることができる。従って、部品種類の増加を伴うことなく仕切り高さの調節ができる。
【００１５】
一方の仕切り板の上部に他方の仕切り板の下部を嵌合する構成であるから、上方向に幾つでも繋ぎあわせることができる。
【００１６】
請求項３に記載の発明は、請求項１又は２に記載の発明において、一方の仕切り板と他方の仕切り板とを繋ぎ合わせた状態において、被嵌合部と嵌合部とが嵌合した部分の厚み方向の寸法は、仕切り板本体の厚みと略等しいことを特徴とする。
【００１７】
この請求項３に記載の発明によれば、請求項１又は２に記載の発明と同様な作用効果を奏するとともに、仕切り板を上下に繋ぎ合わせたときの厚みを、上下に亘る全体で略同じにでき、外観が良い。
【００１８】
請求項４に記載の発明は、請求項３に記載の発明において、一方の仕切り板と他方の仕切り板とを繋ぎ合わせた状態において、被嵌合部と嵌合部とが嵌合した部分の前後方向には、一方の仕切り板と他方の仕切り板とが相互に当接する当接部を備えることを特徴とする。
【００１９】
請求項４に記載の発明は、請求項３に記載の発明と同様な作用効果を奏するとともに、被嵌合部と嵌合部との嵌合部分の前後で、一方の仕切り板と他方の仕切り板との各当接部が相互に当接することによって、一方の仕切り板と他方の仕切り板との接点が多くなりがたつきが少なく、両者を安定に繋ぎ合わせることができる。
【００２０】
【発明の実施の形態】
以下に、添付図面を参照して本発明の実施の形態を詳細に説明するが、まず、図１〜図４を参照して本発明の第１実施の形態を説明する。図１は本発明にかかる陳列棚用仕切り板を繋ぎ合わせた状態を示す斜視図であり、図２は図１に示す仕切り板を単独で用いる場合を示した斜視図であり、図３は図１に示す仕切り板の斜視図であり、（ａ）は一方の面（Ａ面）側から見た斜視図であり、（ｂ）は他方の面（Ｂ面）側から見た斜視図であり、図４は図１に示す仕切り板の繋ぎ操作を示す斜視図である。
【００２１】
本実施の形態にかかる陳列棚１は、ビデオテープやＣＤ等の陳列物を陳列する棚であって、棚板３は左右に設けた支柱に取り付けられおり、棚板３には、繋ぎ合された一方及び他方の仕切り板（陳列棚板用仕切り板）５ａ、５ｂが取り付けられている。
【００２２】
棚板３には底板７と背板９とが設けられており、底板７と背板９とにはそれぞれ係合孔１１、１３が形成されている。各係合孔１１、１３は棚板３の長手方向に間隔を開けて複数個設けてある。
【００２３】
仕切り板５ａ、５ｂはそれぞれ樹脂材製であり、略扁平形状を成している。各仕切り板５ａ、５ｂには、側面が略矩形の本体１５と、本体１５の下端に設けた挿入部１７と、本体の上部に設けた被嵌合部１９と嵌合部２１と、第１当接部２３と、第２当接部２９とが設けられている。
【００２４】
挿入部１７は底板７の係合孔１１に挿入して、仕切り板５ａ、５ｂを棚板３に係合するようになっている。
【００２５】
被嵌合部１９は本体１５の上部に形成された嵌合孔であり、嵌合部２１は突起であり、本実施の形態では嵌合部２１の下に被嵌合部１９が形成されている。
【００２６】
被嵌合部１９と嵌合部２１との前後方向には、第１当接部２３及び第２当接部２９が形成されている。
【００２７】
第１当接部２３は、本体１５の厚みよりも薄く、本実施の形態では本体１５の略半分の厚みで略Ｌ字を形成しており、本体１５から立ち上がる立ち上がり部２５と、側方に突設した突設部２７とを備えている。尚、上述の嵌合部２１は、突設部２７に連続して形成されており、嵌合部２１は突設部２７よりも側方に突設している。
【００２８】
また、本体１５の前側にある第２当接部２９は第１当接部２３と互に離反する方向を向いており、この第２当接部２９には、立ち上がり部３１と、第１当接部２３の突設部２７と反対側に突設した突部３３とが形成されている。
【００２９】
一方及び他方の仕切り板５ａ、５ｂにおいて、本体１５の前面側で前後に傾斜している傾斜部３４は、扁平の陳列物の陳列において表表紙を前面に向けて且つ前後に傾斜させて陳列するときに、陳列物の裏表紙を受けるものである。
【００３０】
本体１５の後部には、背板９の係合孔１３に係止する係止部３５が設けられている。
【００３１】
次に、第１実施の形態にかかる仕切り板５ａ、５ｂの使用方法及び作用について説明する。仕切り板５ａ、５ｂを単独で使用する場合には、図２に示すように、本体１５の下端に設けてある挿入部１７を底板７の係合孔１１に挿入し、本体１５の後端に設けてある係止部３５を背板９の係合孔１３に係合する。
【００３２】
次に、仕切り板５ａで仕切る高さを高くしたい場合には、同じ種類の仕切り板（他方の仕切り板）５ｂを用意して、他方の仕切り板５ｂを挿入部１７を上に向けるように上下逆さにし、図４に示すように、一方の仕切り板５ａの上部において立ち上がり部２５及び３１の間にある空間４３ａと他方の仕切り板５ｂの空間４３ｂが対向するように他方の仕切り板５ｂを図４のイ方向に移動し、次にロ方向に回転させて嵌合部２１を被嵌合部１９に嵌合させる。このように、本実施の形態では一方の仕切り板５ａに他方の仕切り板５ｂを回転操作により容易に繋ぎあわせることができる。
【００３３】
一方の仕切り板５ａと他方の仕切り板５ｂとを繋いだ状態では、一方の仕切り板５ａの被嵌合部１９に他方の仕切り板５ｂの嵌合部２１が嵌合し、他方の仕切り板５ｂの被嵌合部１９に一方の仕切り板５ａの嵌合部２１が嵌合しており、両者互いに被嵌合部１９と嵌合部２１とが嵌合するから簡単に且つ強固に固定することができる。
【００３４】
また、一方の仕切り板５ａと他方の仕切り板５ｂとの嵌合部分における前後では、第１当接部２３、２３同士、及び第２当接部２９、２９同士が互いに当接して、上下に繋ぎ合わせた一方及び他方の仕切り板５ａ、５ｂのがたつきを防止する。
【００３５】
特に、第１当接部２３と第２当接部２９とは、相互に離反する方向に向いているので、がたつき難く且つ外れ難い。
【００３６】
しかも、図１に示すように、繋ぎ合わせた一方及び他方の仕切り板５ａ、５ｂは嵌合している部分Ｂ−Ｂや互いに当接している第１当接部２３、２３、及び第２当接部２９、２９は、本体１５の厚みと略同じ厚みになっているから、両側面が略面一になり、外観がよい。
【００３７】
以下に、図５〜図８を参照して本発明の他の実施の形態を説明するが、以下に説明する実施の形態において、上述した実施の形態と同一の作用効果を奏する部分には同一の符号を付することにより、その部分の詳細な説明を省略し、上述した実施の形態と主に異なる点を説明する。
【００３８】
第２実施の形態では、一方の仕切り板５ａの上に、上下逆さにすることなく他方の仕切り板５ｂを配置して、一方の仕切り板５ａの上部に、他方の仕切り板５ｂの下部を嵌合するものである。
【００３９】
各仕切り板５ａ、５ｂの上部には、中央部４５に一方を向いた第１嵌合突部（被嵌合部）４７が設けてあり、中央部４５の左右側部４６、４６には他方を向いた第２嵌合突部（被嵌合部）４９が設けられている。更に、中央部４５には第１嵌合突部４７の突出側に凹部４１が形成されている。各仕切り板５ａ、５ｂの下部には中央部５２と左右側部５４、５４とにそれぞれ嵌合凹部（嵌合部）５１が形成されており、各嵌合突部４７、４９と各嵌合凹部５１とが相互に嵌合するようになっている。
【００４０】
この第２実施の形態では、一方の仕切り板５ａの上に他方の仕切り板５ｂを繋げる場合には、第１実施の形態と異なり、他方の仕切り板５ｂの上下を逆さにすることなく、一方の仕切り板５ａの上部に設けた凹部４１に他方の仕切り板５ｂの下端にある挿入部１７を挿入して、一方の仕切り板５ａの上部と他方の仕切り板５ｂとを嵌合する。
【００４１】
即ち、図８に示すように、一方の仕切り板５ａの上部にある凹部４１に他方の仕切り板５ｂの挿入部１７を挿入して、中央部４５とその左右側部４６、４６の合計３箇所で、第１嵌合突部４７と左右の第２嵌合突部４９とを対向する各嵌合凹部５１に嵌合する。
【００４２】
第２実施の形態では、仕切り板５ａ、５ｂは２個に限らずいくつでも順次上方に繋げることができる。
【００４３】
本発明は、上述した実施の形態に限定されず、本発明の要旨を逸脱しない範囲で種々変形可能である。
例えば、被嵌合部１９を嵌合孔とし嵌合部２１を突起としたが、これに限らず、被嵌合部１９を突起とし嵌合部２１を嵌合孔としても良い。また、被嵌合部１９と嵌合部とは相互に嵌合するものであれば、突起と孔とに限らない。
【００４４】
被嵌合部１９及び嵌合部２１は、各仕切り板５ａ、５ｂにそれぞれ複数設けるものであってもよい。
【００４５】
嵌合凹部５１は孔であってもよい。
【００４６】
【発明の効果】
請求項１に記載の発明によれば、仕切り高さを高くしたい場合には、他方の仕切り板を上下逆さにして、繋ぎ合わせることができ、しかも各仕切り板はそれぞれ単独で、通常の高さの仕切り板として用いるものであるから、一種類の仕切り板だけを用意して、異なる仕切り高さにすることができる。従って、部品種類の増加を伴うことなく仕切り高さの調節ができる。
【００４７】
請求項２に記載の発明によれば、仕切りの高さを高くしたい場合には、一方の仕切り板の上部に他方の仕切り板の下部を嵌合して繋ぎあわせることができ、繋ぎ合わせる仕切り板はそれぞれ単独で、通常の高さの仕切り板として用いることができるから、部品種類の増加を伴うことなく仕切り高さの調節ができる。
【００４８】
一方の仕切り板の上部に他方の仕切り板の下部を嵌合する構成であるから、上方向に幾つでも繋ぎあわせることができる。
【００４９】
請求項３に記載の発明によれば、請求項１又は２に記載の発明と同様な効果を奏するとともに、仕切り板を上下に繋ぎ合わせたときの厚みを、上下に亘る全体で略同じにでき、外観が良い。
【００５０】
請求項４に記載の発明は、請求項３に記載の発明と同様な効果を奏するとともに、被嵌合部の横と嵌合部の横とに設けた支持部がそれぞれ相互に当接することによって、一方の仕切り板と他方の仕切り板との接点が多くなりがたつきが少なく、両者を安定に繋ぎ合わせることができる。
【図面の簡単な説明】
【図１】本発明の第１実施の形態にかかる仕切り板を繋ぎ合わせた状態を示す斜視図である。
【図２】仕切り板を単独で用いる場合を示した斜視図である。
【図３】第１実施の形態にかかる仕切り板の斜視図であり、（ａ）は一方の面（Ａ面）側から見た斜視図であり、（ｂ）は他方の面（Ｂ面）側から見た斜視図である。
【図４】図３に示す仕切り板の繋ぎ操作を示す斜視図である。
【図５】第２実施の形態にかかる仕切り板の斜視図であり、（ａ）は一方の面（Ａ面）側から見た斜視図であり、（ｂ）は他方の面（Ｂ面）側から見た斜視図である。
【図６】図５に示すＥ−Ｅ断面図である。
【図７】図５に示すＦ−Ｆ断面図である。
【図８】図５に示す仕切り板の繋ぎ操作を示す斜視図である。
【符号の説明】
３    棚板
５ａ  一方の仕切り板（陳列棚板用仕切り板）
５ｂ  他方の仕切り板（陳列棚板用仕切り板）
７    底板
９    背板
１５  本体
１９  被嵌合部
２１  嵌合部
２３  第１当接部
２９  第２当接部
４７  第１嵌合突部（被嵌合部）
４９  第２嵌合突部（被嵌合部）
５１  嵌合凹部（嵌合部）
【図１】
2004344408.tif 000003
【図２】
2004344408.tif 000004
【図３】
2004344408.tif 000005
【図４】
2004344408.tif 000006
【図５】
2004344408.tif 000007
【図６】
2004344408.tif 000008
【図７】
2004344408.tif 000009
【図８】
2004344408.tif 000010